(57)【要約】【課題】服薬記録器を提供する。【解決手段】本考案の服薬記録器１は、ケース１１と、サイン認識部材１２と、押しボタン１３とを備える。ケース１１は表示孔１１１２を含む。サイン認識部材１２はケース１１中に設置され、且つ表示孔１１１２に対応する。押しボタン１３は対応するサイン認識部材１２に連結され、且つケース１１の外に突出され、押しボタン１３によりサイン認識部材１２が制御されて表示孔１１１２の表示サインに表示される。【選択図】図２
0003207004.tif 000002
【実用新案登録請求の範囲】
【請求項１】
表示孔を含むケースと、
前記ケース中に設置され、且つこれら前記表示孔にそれぞれ対応するサイン認識部材と、
前記サイン認識部材に連結され、且つ前記ケースの外に突出され、前記サイン認識部材を制御させて前記表示孔の表示サインに表示させる押しボタンとを備えることを特徴とする服薬記録器。
【請求項２】
前記ケースは、これら前記表示孔に対応する曜日表示を更に備えることを特徴とする、請求項１に記載の服薬記録器。
【請求項３】
前記ケース中に設置される支持体及び第一弾性部材を更に備えることを特徴とする、請求項１に記載の服薬記録器。
【請求項４】
前記支持体は、前記第一弾性部材が納置される第一固定構造を備えることを特徴とする、請求項３に記載の服薬記録器。
【請求項５】
前記ケースは前ケース及び後ケースを備えることを特徴とする、請求項４に記載の服薬記録器。
【請求項６】
前記後ケースは、前記支持体を固定させるための第二固定構造を更に備えることを特徴とする、請求項５に記載の服薬記録器。
【請求項７】
前記表示孔の前記表示サインに表示される前記サイン認識部材をリセットさせるために使用されるリセット部材を更に備えることを特徴とする、請求項５に記載の服薬記録器。
【請求項８】
前記リセット部材はリセットレバーであり、前記前ケースに設置され、前記リセットレバーはレバー本体と、レバーシートと、レバレッジシートと、第二弾性部材とを備えることを特徴とする、請求項７に記載の服薬記録器。
【請求項９】
前記レバー本体は前記第二弾性部材により前記前ケースに連結されて固定され、前記レバーシートは前記前ケースの外に露出され、前記レバレッジシートは前記前ケースに内蔵されることを特徴とする、請求項８に記載の服薬記録器。
【請求項１０】
前記レバーシートに連結される脚台を更に備えることを特徴とする、請求項８に記載の服薬記録器。
【請求項１１】
前記サイン認識部材は異なる色を有する色認識弾性部材であり、且つ第一係合フックを備えることを特徴とする、請求項９に記載の服薬記録器。
【請求項１２】
前記前ケースは第二係合フックを備えることを特徴とする、請求項１１に記載の服薬記録器。
【請求項１３】
前記レバレッジシートは第二係合フックを備えることを特徴とする、請求項１１に記載の服薬記録器。
【考案の詳細な説明】
【技術分野】
【０００１】
本考案は、服薬記録器に関する。
【背景技術】
【０００２】
現在、現代人は仕事が忙しいため食生活が疎かになりがちで、高血圧や糖尿病等の慢性疾患の有病率が近年高まりを見せ、慢性疾患の患者の低年齢化も進んでいる。慢性疾患の患者は、行動や活動に一定の制限を受ける以外、時間的及び金銭的な負担も大きく、家庭生活への影響が極めて大きいため、慢性疾患には慎重に対応せねばならなかった。
【０００３】
一般的には、慢性疾患の患者は定期的に服薬して病状をコントロールせねばならないが、現代人は仕事が忙しいため、服薬を忘れることも多かった。このような場合、患者は服薬を忘れないように心配したり、重複して服薬してしまったがために病状が悪化するのではないかと心配するあまり、仕事や生活面でストレスを受け、これが患者の心理状態及び生理状態にまで影響が及ぶことがあった。このような状況は、仕事が忙しい患者や、記憶力が乏しい患者、高齢者等の慢性疾患の患者に起こりやすい。
【考案の概要】
【考案が解決しようとする課題】
【０００４】
しかしながら、現在市場に存在する服薬を知らせる装置は、コストが高く、且つ操作が複雑であるため、使用上極めて不便であった。また、現在服薬の有無を記録する装置は存在せず、よって上述の状況を改善できないでいる。
【０００５】
そこで、本考案者は上記の欠点が改善可能と考え、鋭意検討を重ねた結果、合理的設計で上記の課題を効果的に改善する本考案の服薬記録器の提案に到った。
【０００６】
本考案は、このような従来の問題に鑑みてなされたものであり、本考案の主な目的は、上述の問題を解決するために、服薬記録器を提供することにある。すなわち、本考案によれば、従来の技術による服薬を知らせる装置はコストが高過ぎ、使用上不便であり、機能面でも需要を満たせていないという問題を解決させる。
【課題を解決するための手段】
【０００７】
上述した課題を解決し、上記目的を達成するための本考案は、本考案に係る服薬記録器は、表示孔を含むケースと、前記ケース中に設置され、且つこれら前記表示孔にそれぞれ対応するサイン認識部材と、前記サイン認識部材に連結され、且つ前記ケースの外に突出され、前記サイン認識部材を制御させて前記表示孔の表示サインに表示させる押しボタンとを備えることを特徴とする。
【０００８】
好ましい実施態様において、ケースは、これら表示孔に対応する曜日表示を更に備える。
【０００９】
好ましい実施態様において、服薬記録器は支持体及び第一弾性部材を更に備える。
【００１０】
好ましい実施態様において、支持体は、第一弾性部材が納置される第一固定構造を備える。
【００１１】
好ましい実施態様において、ケースは前ケース及び後ケースを備える。
【００１２】
好ましい実施態様において、後ケースは、支持体を固定させるための第二固定構造を更に備える。
【００１３】
好ましい実施態様において、服薬記録器は、表示孔の表示サインに表示されるサイン認識部材をリセットさせるために使用されるリセット部材を更に備える。
【００１４】
好ましい実施態様において、リセット部材はリセットレバーであり、前ケースに設置され、リセットレバーはレバー本体と、レバーシートと、レバレッジシートと、第二弾性部材とを備える。
【００１５】
好ましい実施態様において、レバー本体はばねにより前ケースに連結されて固定され、レバーシートは前ケースの外に露出され、レバレッジシートは前ケースに内蔵される。
【００１６】
好ましい実施態様において、服薬記録器はレバーシートに連結される脚台を更に備える。
【００１７】
好ましい実施態様において、サイン認識部材は異なる色を有する色認識弾性部材であり、且つ第一係合フックを備える。
【００１８】
好ましい実施態様において、前ケースは第二係合フックを備える。
【００１９】
好ましい実施態様において、レバレッジシートは第二係合フックを備える。
【考案の効果】
【００２０】
本考案の服薬記録器によれば、１つ或いは複数の下述の長所を有する。
(１)本考案に係る服薬記録器は押しボタンを押すのみで操作可能であり、使用者が当日服薬したかどうかをすぐに知ることができる。本考案の服薬記録器の操作方式が極めて簡単であるため、使用上便利である。
(２)本考案に係る服薬記録器は構造が簡単であり、簡単な機械構造或いは電子式構造で実現でき、本考案の服薬記録器のコストが大幅に削減される。
(３)本考案に係る服薬記録器は専用の服薬記録機能を提供し、慢性疾患の患者が服薬を忘れないように心配したり、重複して服薬することで悪影響が出ないか心配したりすることがなくなり、患者の心理状態及び生理状態に影響が及ぶ事態が確実に回避される。
【図面の簡単な説明】
【００２１】
【図１】本考案の第１実施形態による服薬記録器を示す第一概略図である。
【図２】本考案の第１実施形態による服薬記録器を示す第二概略図である。
【図３】本考案の第１実施形態による服薬記録器を示す第三概略図である。
【図４】本考案の第２実施形態による服薬記録器を示す第一概略図である。
【図５】本考案の第２実施形態による服薬記録器を示す第二概略図である。
【考案を実施するための形態】
【００２２】
以下に図面を参照して、本考案を実施するための形態について、詳細に説明する。なお、本考案は、以下に説明する実施形態に限定されるものではない。
（実施形態）
【００２３】
（第１実施形態）
まず、第１実施形態を図１〜３に基づいて説明する。図１は本考案の第１実施形態による服薬記録器を示す第一概略図であり、図２は本考案の第１実施形態による服薬記録器を示す第二概略図であり、図３は本考案の第１実施形態による服薬記録器を示す第三概略図である。図１及び図２に示すように、本考案に係る服薬記録器１は、ケース１１と、複数のサイン認識部材１２と、複数の押しボタン１３と、支持体１４と、複数の第一弾性部材１５と、リセット部材１６とを備える。
【００２４】
ケース１１は前ケース１１１及び後ケース１１２を備える。前ケース１１１は複数の表示孔１１１２及び複数の曜日表示Ｄを含み、これら前記曜日表示Ｄはこれら前記表示孔１１１２にそれぞれ対応する。本実施形態において、これら前記曜日表示Ｄは月曜から日曜までの異なる曜日にそれぞれ対応し、或いは朝、昼、夜、睡眠前等の異なる時刻にそれぞれ対応し、使用者が一日或いは一週間の服薬状態を完璧に記録できる。
【００２５】
なお、これら前記サイン認識部材１２はケース１１中に設置され、且つこれら前記表示孔１１１２にそれぞれ対応する。本実施形態では、サイン認識部材１２は色認識区１２２を有する色認識弾性部材であり、２種類の色を有する。色(１)は色認識区１２２の上半部に位置され、色(２)は色認識区１２２の下半部に位置され、未服薬及び服薬済みの状態をそれぞれ表し、サイン認識部材１２の下方には第一係合フック１２１を備える。
【００２６】
また、これら前記押しボタン１３は対応するサイン認識部材１２にそれぞれ連結され、一体成形される設計になり、これら前記押しボタン１３がケース１１の外に突出され、各押しボタン１３により対応するサイン認識部材１２が制御されて対応する表示孔１１１２の表示サインに表示される。本実施形態において、表示サインはサイン認識部材１２の色認識区１２２の２種類の色である。
【００２７】
支持体１４は納置溝である複数の第一固定構造１４１を備え、これら前記第一固定構造１４１はこれら前記第一弾性部材１５にそれぞれ対応し、これら前記第一弾性部材１５が納置される。本実施形態において、これら前記第一弾性部材１５はばねである。これら前記第一固定構造１４１及びこれら前記第一弾性部材１５はこれら前記サイン認識部材１２にそれぞれ対応する。後ケース１１２は第二固定構造１１２１を含み、本実施形態において、第二固定構造１１２１は係合溝であり、支持体１４の一側が係合溝に嵌入されて支持体１４が固定される。
【００２８】
リセット部材１６は対応する表示孔１１１２の表示サインに表示される各サイン認識部材１２のリセットに使用され、即ち色認識区１２２の色がリセットされる。本実施形態において、リセット部材１６はリセットレバーであり、前ケース１１１の下方に設置される。リセットレバーは、レバー本体１６１と、レバーシート１６２と、レバレッジシート１６３と、ねじりばねである複数の第二弾性部材１６４とを備える。レバー本体１６１はこれら前記第二弾性部材１６４により前ケース１１１の内部に連結され、レバーシート１６２が前ケース１１１の外に露出され、レバレッジシート１６３は前ケース１１１中に内蔵される。また、レバーシート１６２からは脚台（図示せず）が更に延出され、服薬記録器１が立てて置かれるようになる。
【００２９】
さらに、図３に示すように、前ケース１１１は第二係合フック１１１１を備え、使用者が未服薬の場合、押しボタン１３は押されておらず、この際にサイン認識部材１２が表示孔１１１２に表示させる色は色(１)(未服薬)になる。使用者が服薬した後には、これら前記曜日表示Ｄに基づいて対応する曜日或いは時刻の押しボタン１３が押され、サイン認識部材１２が下に向けて移動され、且つ押しボタン１３に対応するサイン認識部材１２の第一係合フック１２１及び第二係合フック１１１１が相互に嵌合され、この際にサイン認識部材１２が表示孔１１１２に表示させる色は色(２) (服薬済み)になる。当然ながら、他の実施形態において、第二係合フック１１１１がレバレッジシート１６３に設置されてもよく、本考案はこれについての制限はない。
【００３０】
このように、使用者が服薬したかどうか忘れても、対応する曜日或いは時刻の表示孔に表示される色から判別できるため、本実施形態に係る服薬記録器１は専用の服薬記録機能を備える。このため、慢性疾患の患者が服薬を忘れる心配をしたり、重複して服薬してしまって患者の心理状態及び生理状態に悪影響が出る事態を確実に回避させ、従来の技術の問題を有効的に解決させる。
【００３１】
使用者がこれら前記サイン認識部材１２をリセットする場合、レバーシート１６２を直接作動させ、てこの原理で各サイン認識部材１２の第一係合フック１２１を第二係合フック１１１１から脱離させて上に向けて本来の位置まで移動させ、各サイン認識部材１２が表示孔１１１２に表示させる色を色（１）（未服薬）の状態に戻し、服薬状態を再度記録できるようにする。当然ながら、上述の構造設計は一つの例に過ぎず、本考案の服薬記録器はより多くの多様な構造設計により実現させてもよく、本考案はこれについての制限はない。
【００３２】
このほか、本考案に係る服薬記録器は電子装置を利用する方式によっても実現できる。例えば、ＬＥＤランプをサイン認識部材１２としてもよく、且つ異なる色の光線を利用して服薬状態を表示させる。他の相関するデータを液晶画面に表示してもよく、同様に同じ効果を達成可能である。上述の変化は均しく本考案の保護範囲に含まれる。
【００３３】
ちなみに、従来の技術による服薬を知らせる装置は、構造が複雑過ぎ、コストが高い。翻って、本考案の実施形態によれば、服薬記録器の構造が極めて簡単であるため、簡単な機械構造或いは電子式構造によって実現でき、本考案に係る服薬記録器のコストは大幅に削減可能である。
【００３４】
なお、従来の技術による服薬を知らせる装置は操作が複雑過ぎ、使用上極めて不便である。翻って、本考案の実施形態によれば、服薬記録器は押しボタンを押すのみで操作を行え、使用者が当日服薬したかどうかをすぐに知ることができる。本考案に係る服薬記録器の操作方式は極めて簡単であり、使用上便利である。
【００３５】
また、従来の技術による服薬を知らせる装置は服薬の有無を記録する機能が備わっておらず、大部分の慢性疾患の患者の需要を満たせない。翻って、本考案の実施形態によれば、服薬記録器は専用の服薬記録機能を提供するため、慢性疾患の患者が服薬を忘れるのを心配したり、重複して服薬してしまい患者の心理状態及び生理状態に影響が及ぶ事態を確実に回避させる。上述のように、本考案は進歩性を有する実用新案である。
【００３６】
（第２実施形態）
図４は本考案の第２実施形態による服薬記録器を示す第一概略図であり、図５は本考案の第２実施形態による服薬記録器を示す第二概略図である。
【００３７】
図４に示すように、使用者が服薬後に、これら前記曜日表示Ｄに基づいて対応する曜日或いは時刻の押しボタン１３を押すと、サイン認識部材１２が表示孔１１１２に表示させる色が色(１)(未服薬)から色(２)(服薬済み)に変わる。
【００３８】
また、図５に示すように、使用者がサイン認識部材１２をリセットする場合、レバーシート１６２を作動させて、サイン認識部材１２が表示孔１１１２に表示させる色を色(１)(未服薬)にリセットさせる。
【００３９】
結論として、本考案の服薬記録器は押しボタンを押すのみで操作可能であり、使用者が当日服薬済みであるかどうかをすぐに知ることができる。本考案の服薬記録器の操作方式が極めて簡単であるため、使用上便利である。
【００４０】
そして、本考案の服薬記録器の構造は簡単であり、簡単な機械構造或いは電子式構造により実現できるため、本考案に係る服薬記録器のコストは大幅に削減可能である。なお、本考案に係る服薬記録器は専用の服薬記録機能を提供するため、慢性疾患の患者が服薬を忘れるのを心配したり、重複して服薬してしまって患者の心理状態及び生理状態に影響が出る事態が確実に回避される。
【００４１】
なお、本考案は前述した実施の形態のみに限定されるものではなく、本考案の要旨を逸脱しない範囲において種々の変更が可能であることは勿論である。
【符号の説明】
【００４２】
１  服薬記録器
１１  ケース
１１１  前ケース
１１１１  第二係合フック
１１１２  表示孔
１１２  後ケース
１１２１  第二固定構造
１２  サイン認識部材
１２１  第一係合フック
１２２  色認識区
１３  押しボタン
１４  支持体
１４１  第一固定構造
１５  第一弾性部材
１６  リセット部材
１６１  レバー本体
１６２  レバーシート
１６３  レバレッジシート
１６４  第二弾性部材
Ｄ  曜日表示
【図１】
0003207004.tif 000003
【図２】
0003207004.tif 000004
【図３】
0003207004.tif 000005
【図４】
0003207004.tif 000006
【図５】
0003207004.tif 000007